(57)【要約】【課題】  錘付きの垂下養殖が収穫量増加をもたらし好ましいこと、錘付き垂下養殖によれば水揚げ作業が面倒、煩雑となり円滑、スピーディな水揚げ作業を阻害すること、との相反する課題を共に解決し得る帆立貝養殖装置を提供する。【解決手段】  海中にロープや籠を垂下し、ロープや籠に稚貝を保持させて養殖する貝の垂下養殖装置１おいて、垂下養殖装置のロープ４下端部や籠の下端部には錘体２０を吊下具で吊り下げ、吊下具２１を生分解性プラスチックのフィルムで形成し、例えば、吊下具は生分解性の水溶性プラスチック製のフィルムで形成した。【選択図】図４
2015122989.tif 000002
【特許請求の範囲】
【請求項１】
海中にロープや籠を垂下し、ロープや籠に稚貝を保持させて養殖する貝の垂下養殖装置において、
前記垂下養殖装置のロープ下端部や籠の下端部には錘体を吊下具で吊り下げ、
前記吊下具を生分解性プラスチックで形成した、
ことを特徴とする貝の垂下養殖装置。
【請求項２】
前記錘体は砂及び／又は砂利であり、前記吊下具は袋であることを特徴とする請求項１記載の貝の垂下養殖装置。
【請求項３】
前記袋は生分解性の水溶性プラスチック製のシートやフィルムからなることを特徴とする請求項２記載の貝類の垂下養殖装置。
【請求項４】
前記錘体は自然石であり、前記吊下具は袋であることを特徴とする請求項１記載の貝の垂下養殖装置。
【請求項５】
前記錘体はコンクリート塊であり、前記吊下具は袋であることを特徴とする請求項１記載の貝の垂下養殖装置。
【請求項６】
前記錘体は金属製であり、前記吊下具は袋であることを特徴とする請求項１記載の貝の垂下養殖装置。
【請求項７】
前記袋は不織布で形成したことを特徴とする請求項２〜５の何れか１項に記載の貝の垂下養殖装置。
【請求項８】
前記吊下具は縦長の棒状体であり、該吊下具に金属製又はコンクリート塊の錘体を連結したことを特徴とする請求項１記載の貝の垂下養殖装置。
【請求項９】
前記吊下具は途中にくびれ部を有することを特徴とする請求項８記載の貝の垂下養殖装置。
【請求項１０】
前記錘体には回収用のロープが繋がれていることを特徴とする請求項６又は８記載の貝の垂下養殖装置。
【請求項１１】
前記吊下具はロープ状であり、該吊下具に錘体を吊り下げたことを特徴とする請求項１記載の貝の垂下養殖装置。
【発明の詳細な説明】
【技術分野】
【０００１】
本発明は、帆立貝等の貝をロープや籠に保持させ、ロープや籠を海中に垂下して貝類を養殖する貝の養殖装置に関する。
【背景技術】
【０００２】
牡蠣、ホヤ貝、帆立貝等の貝の養殖として、ロープや籠に稚貝を保持させ、海中に投入して養殖を行う垂下式の養殖は従来から行われている。
貝類の垂下式養殖の一例として帆立貝の養殖を挙げる。
ロープに係止ピンを所定ピッチで直交するように刺し通し、係止ピンの端部に帆立貝の稚貝の耳片に穿設した耳吊り孔に刺し通し、稚貝を係止ピンに係止、保持し、吊り下げ、海中にロープを投入して垂らし、養殖する垂下式の養殖装置は従来から知られている（例えば特許文献１参照）。
【０００３】
帆立貝の垂下式養殖に用いられる養殖装置の一例は、特許文献１の図１に示す如くである。
養殖装置は、海底に打ち込んだ２本のアンカーロープと、アンカーロープの上端部間に結束して掛け渡された横ロープ（幹綱）と、横ロープの長さ方向（横方向）に所定間隔で垂下（吊りさげ）された複数本の縦ロープとからなり、アンカーロープの各上端部には連結紐を介して海面に上半部が露出する露出浮体を連結し、横ロープには、長さ方向（横方向）に所定間隔で海中に所定深さで保持される複数の浮体を連結紐を介して連結する。
【０００４】
養殖装置の前記した縦ロープは、例えば、径が６〜８mmで、長さが１０〜１５ｍである。  この縦ロープに、両端部に係止部を形成した係止ピンを、例えば、１００〜１３０mmピッチでロープの長さ方向に直交する方向に貫通・保持させ、係止ピンの両端部の係止部を、稚貝の耳片にドリル等で穿孔した耳吊り孔に刺通、貫通させて、稚貝を係止ピン両端部に係止、保持する。
【先行技術文献】
【特許文献】
【０００５】
【特許文献１】実用新案登録第３１７８８３０号公報
【発明の概要】
【発明が解決しようとする課題】
【０００６】
以上において、垂下養殖装置は、アンカーロープが浮体やアンカー等でしっかり固定されているものではあるが、横ロープに繋げられ、帆立貝の稚貝を係止ピン等で保持して海中に垂下される縦ロープは、波浪や潮流等の影響から上下に振動したり、横に流されたりする。
特に波浪による縦ロープの上下振動により、帆立貝は殻の閉じる頻度が多くなり、帆立貝の摂餌活動に大きな影響を及ぼすものである。
この結果、帆立貝の活発な摂餌活動は抑制されることとなり、延いては帆立貝の成長に遅れを見せることとなる。
このことは、多段式に籠を連結、垂下し、籠内に稚貝を収容して養殖する吊り籠式においても事情は同様である。
つまりは、ロープを介して連結され、海中に垂下された籠が振動し、籠内に収容した貝相互が、この振動で籠内で動いて相互に接触し、摂餌活動が抑制され、生育に悪影響を及ぼす。
【０００７】
このことから、各縦ロープ（垂下ロープ）の下端部に２００ｇ〜１ｋｇ位の錘を取り付け、波浪等によるロープの振動を錘で可及的に抑制することが行われる。
錘の吊り下げで、波浪等に起因するロープの振動は抑制され、貝の殻の閉じる頻度は少なくなり、この結果、帆立貝の摂餌活動は促され、帆立貝の成長を促進、実現させることができる。
このことは、多段式に籠を連結、垂下し、籠内に稚貝を収容して養殖する吊り籠式養殖においても事情は同様であり、多段に連結、垂下された籠が波浪等で振動し、籠内に収容した貝相互が接触し、摂餌活動が抑制され、生育に悪影響を及ぼすので、最下段の籠に錘をロープ等を介して吊り下げることが行われる。
【０００８】
この錘付きロープによる養殖では、錘が無い場合に比較して収穫量の増大、養殖期間の短縮をもたらすが、水揚げ時に問題が発生する。
水揚げは、例えば、次のような段取りで実施される。
（１）幹綱（横ロープ）を船に係留する。
（２）幹綱から貝付きロープ（縦ロープ）を取り外す。
（３）貝付きロープの上部（この部分は幹綱への結束、少しでも波浪の影響を受けないようにするため上部２ｍ前後は帆立貝を保持しないエリア）をロープから貝をしごき落とす装置（通称耳切と称される）を挟み込む。
（４）挟んだロープを巻き揚げ機にセットし、巻き揚げを開始する。
（５）貝付きロープは耳切部でしごき落とされ、直下に置かれてコンベヤ等に収容して水揚げした貝を移送し、収容コンテナに流し込む。
（６）最後にロープの下端部に取り付けられている錘を取り外す。
以上の反復で、数時間に数トンの貝の水揚げを実施する。
【０００９】
以上の水揚げ以外に、垂下式養殖においては、海中に投入後６ヶ月程度生育させると自重は２〜３倍となり、養殖貝には、貝以外にその殻外面に大量の雑物が付着し、付着した雑物と養殖貝類との間で餌が競合したりし、養殖貝類と雑物と間で餌の奪い合いとなり、結果的に養殖貝類の摂餌を阻害することとなる。
このため、垂下養殖開始後、略６ヶ月程度でロープを引き上げ、ロープに保持した貝殻の付着雑物を洗浄、除去する作業が実施される。
この洗浄、除去作業に際しロープの下端部に取り付けた錘が邪魔になり、錘を取り外す作業が必要となる。
【００１０】
本発明は、錘付きの垂下式養殖が収穫量増加をもたらし好ましいこと、一方、錘付き垂下式養殖によれば、錘の取り外し作業を必要とし、付着物洗浄、除去作業や水揚げ作業が面倒、煩雑となり、また時間がかかる等の理由で円滑、スピーディな付着物洗浄、除去作業や水揚げ作業等を阻害する虞があること、この相反する課題を共に合理的に解決し得る養殖装置を提供することを課題とする。
【００１１】
本発明者は、生分解性プラスチックが、微生物（バクテリア、細菌）等によって分解し、最終的には水と二酸化炭素に分解する性質を有すること等に着目して本発明をなしたものである。
【００１２】
従って、本発明の目的とする処は、所定期間（時間）垂下ロープの下端部に止まって錘として機能し、波浪、潮流に起因する垂下ロープの振動を可及的に抑制、防止し、貝類の摂餌活動を良好に行わせ得る貝類の垂下式養殖において、貝類の生育を促し、良好な生育を図り、貝類の収穫量の増加を期待し得るとともに、特に本発明は、垂下養殖の所定期間後に、錘をロープから自然に、自動的に脱落させ、錘の取り外し作業を無くし、円滑な、スピーディな殻の雑物除去作業や洗浄作業、貝類の生育後の水揚げ作業を可能とし、且つ自然環境にも優しい貝の養殖装置を提供することにある。
【課題を解決するための手段】
【００１３】
請求項１に係る発明は、海中にロープや籠を垂下し、ロープや籠に稚貝を保持させて養殖する貝の垂下養殖装置において、垂下養殖装置のロープ下端部や籠の下端部には錘体を吊下具で吊り下げ、吊下具を生分解性プラスチックで形成したことを特徴とする。
【００１４】
請求項２に係る発明は、請求項１において、錘体は砂及び／又は砂利であり、吊下具は袋であることを特徴とする。
【００１５】
請求項３に係る発明は、請求項２において、袋は生分解性の水溶性プラスチック製のシートやフィルムからなることを特徴とする。
【００１６】
請求項４に係る発明は、請求項１において、錘体は自然石であり、吊下具は袋であることを特徴とする。
【００１７】
請求項５に係る発明は、請求項１において、錘体はコンクリート塊であり、吊下具は袋であることを特徴とする。
【００１８】
請求項６に係る発明は、請求項１において、錘体は金属製であり、吊下具は袋であることを特徴とする。
【００１９】
請求項７に係る発明は、請求項２〜５の何れか１項において、袋は不織布で形成したことを特徴とする。
【００２０】
請求項８に係る発明は、請求項１において、吊下具は縦長の棒状体であり、該吊下具に金属製又はコンクリート塊の錘体を連結したことを特徴とする。
【００２１】
請求項９に係る発明は請求項８において、吊下具は途中にくびれ部を有することを特徴とする。
【００２２】
請求項１０に係る発明は、請求項６又は８において、錘体には回収用のロープが繋がれていることを特徴とする。
【００２３】
請求項１１に係る発明は、請求項１において、吊下具はロープ状であり、吊下具に錘体を吊り下げたことを特徴とする。
【発明の効果】
【００２４】
請求項１に係る発明では、海中にロープや籠を垂下し、ロープや籠に稚貝を保持させて養殖する貝の垂下養殖装置において、垂下養殖装置のロープ下端部や籠の下端部には錘体を吊下具で吊り下げ、吊下具を生分解性プラスチックで形成した。
生分解性プラスチックとしては、例えば微生物系、化学合成系、天然物系、これらの複合系等があるが、例えば水溶性のポリビニルアルコール（ＰＶＡ）のフィルム等からなる袋に砂等を収容等して、錘体を構成してロープに吊り下げる吊下具を形成したので、帆立貝等の貝類をロープに係止ピンを介して係止保持した垂下養殖において、時間の経過とともに吊下具は微生物等の作用で分解し、吊下具に吊り下げられて錘体はロープ下端部から脱落し、ロープの下端部は錘体を有しない自由な状態となる。
【００２５】
従って、垂下養殖における生育途上の貝の雑物除去や洗浄作業、生育後の水揚げ作業に際し、ロープ下端部の生分解性プラスチック製の吊下具が海中で分解して壊れ、この結果、錘体はロープ下端から自然に脱落除去され、無くなることから、ロープを円滑、迅速に巻き揚げることが可能となり、貝の雑物除去や洗浄作業、水揚げ作業を円滑、迅速に行うことができる。
また、錘体を吊り下げつつ、錘体の除去作業を必要としないので、垂下養殖において錘体を用いることによる利点、つまりは、ロープや籠の波浪や潮流による振動等に起因する貝の摂餌不良等の悪影響を抑制し、生育状態の良好な帆立貝等の貝の垂下養殖を実現しつつ錘体の除去作業を必要としない。
【００２６】
また本発明では、垂体の吊下具として生分解性プラスチックを用いたので、錘体脱落後においては、吊下具は海中の微生物等の作用で海中において水と二酸化炭素に分解し、自然環境の負荷となることが無く、環境保全の観点からも優れたものが得られる。
更に本発明では、分解に至る期間、即ち、錘体の吊下具がロープから外れる期間を目的に応じて可変とすることが可能であり、即ち、養殖期間のニーズに合わせた吊下具を得ることが可能である。
更に又本発明では、養殖期間のニーズにより、例えば３ヶ月で分解して錘体が脱落して欲しいのか、６ヶ月後なのか、１０ヶ月後なのか、１２ヶ月後なのか等、繊維の太さや布地の厚さ等の加減等によって分解する期間をコントロールすることが可能であり、貝類の種類やニーズに合わせて好ましい錘体脱落を選択することが可能である。
【００２７】
請求項２に係る発明では、錘体は砂及び／又は砂利であり、吊下具は袋とした。
錘体とした砂や砂利を用い、袋に砂や砂利を収容し、ロープの下端部に吊り下げて錘とするので、生分解性プラスチック製の吊下具の分解開始とともに砂や砂利は迅速に排出され、錘としての機能が喪失して消滅し、錘の消滅（脱落）は容易、且つ確実になされる。
又海中に消滅（脱落）する錘は砂や砂利として排出されるので、環境を傷めることがなく、環境に優しい。
【００２８】
請求項３に係る発明では、請求項２における袋を、生分解性の水溶性プラスチックのシートやフィルムとしたので、水溶性プラスチックのシートやフィルムの組成や厚さ等を設定することで３ヶ月、６ヶ月等時間や期間を任意に設定することが容易に可能である。
【００２９】
請求項４に係る発明では、錘体は自然石であり、吊下具は袋である。
錘体として自然石を用いるので、吊下具を形成する袋としては織布、不織布、網体を用いることができ、ロープの下端部への吊り下げがし易く、又袋の製作も容易であり、且つ袋を織布、不織布、網体とすることで厚さや糸径の設定で分解の時間的スケールの設定が容易なる。
また吊下具としての袋の分解開始とともに自然石は迅速に排出されて錘としての機能が喪失されて消滅し、錘の消滅（脱落）は容易、且つ確実になされるとともに、消滅（脱落）する錘は自然石として海中に排出されるので、海中に留まっていても環境を傷めることがなく、環境に優しい。
【００３０】
請求項５に係る発明では、錘体はコンクリート塊であり、吊下具は袋とした。
錘体としてコンクリート塊を用いるので、錘の重量は任意に、容易に必要とする重量に設定することができる。
又袋はコンクリート塊を包んで保持するだけのため、織布、不織布、網体等任意のものを用いることができ、ロープの下端部への吊り下げがし易く、又袋の製作も容易であり、且つ袋を織布、不織布、網体とすることで分解の時間的スケールの設定が容易となる。
また袋が分解開始とともにコンクリート塊は迅速に排出されて錘としての機能が喪失されて消滅し、錘の消滅（脱落）は容易、且つ確実になされるとともに、消滅（脱落）する錘はコンクリートの塊なので、排出後海中に止まっても環境を傷めることが少なく、環境に優しい。
【００３１】
請求項６に係る発明では、錘体は金属製であり、吊下具は袋とした。
錘体として金属、例えば鋼球等を用いるので、錘の重量は任意に、容易に必要とする重量に設定することができる。
又袋は鋼球等を包んで保持するだけのため、織布、不織布、網体等任意のものを用いることができ、ロープの下端部への吊り下げがし易く、又袋の製作も容易であり、且つ袋を織布、不織布、網体とすることで分解の時間的スケールの設定が容易になる。
また袋が分解開始とともに鋼球等は迅速に排出されて錘としての機能が喪失されて消滅し、錘の消滅（脱落）は容易、且つ確実になされる。
【００３２】
請求項７に係る発明では、請求項２〜５の何れかにおいて、袋を不織布で形成した。
特に砂や砂利を袋に収容するに際し内容物の保持が確実になされるとともに、織布袋や網袋等に比較し製作が容易である。
又不織布の厚さを設定することで、分解時間の設定が容易になされ、錘体の保持時間（期間）の設定、調節が任意に、容易に行える。
【００３３】
請求項８に係る発明では、吊下具は縦長の棒状体であり、吊下具に金属製又はコンクリート塊の錘体を連結した。
ロープの下端部に棒状の吊下具を取り付け、吊下具に錘体を連結するので、棒状の吊下具の分解に要する時間的な要素は、棒状体の外径等を設定することで調節可能となり、分解の時間的スケールの設定が容易になる。
【００３４】
請求項９に係る発明では、吊下具は途中にくびれ部を有する。
棒状吊下具はくびれ部を有するので、くびれ部の外径の調節で分解に要する時間的な要素の設定が任意となり、分解の時間的スケールの設定が容易になる。
また、くびれ部の上下の部分の外径は任意となるので、ロープへの取付部分や錘体の取付部分の設定が容易となる。
【００３５】
請求項１０に係る発明では、錘体が金鋼球等の金属製とした場合、錘体は回収用のロープが繋がれているので、吊下具が分解後に鋼球等を海中に放置することは好ましくないが、水揚げ後や洗浄後に容易に鋼球等を回収することができる。
【００３６】
請求項１１に係る発明では、吊下具はロープ状であり、ロープ状吊下具に錘体を吊り下げた。
不織布、織布、網体等の袋を製作することなく、ロープに錘体を吊り下げたロープ状吊下具を連結するだけで良く、製作容易で袋体等と異なり安価に提供することが可能であると共に、吊下具はロープ状なので撚糸の径等を設定することで吊下具の分解に要する時間（期間）の設定も容易であり、分解の時間的スケールの設定が容易になる。
【図面の簡単な説明】
【００３７】
【図１】貝の垂下養殖の一例としての帆立貝耳吊り養殖装置の一例を示す説明図である。
【図２】縦ロープに帆立貝を係止、保持した状態を示す説明図である。
【図３】袋に砂を収容し、錘体とした例の説明図で、袋に砂を収容する図であり、袋としては不織布を用いた例である。
【図４】袋に砂を収容後、袋を結束して錘体を形成し、ロープ下端部に錘体として吊り下げた状態を示す図である。
【図５】網袋に自然石、小石を収容し、錘体とした例の説明図で、網袋に自然石、小石を収容する図である。
【図６】石を収容後、網袋を結束して錘体を形成し、ロープ下端部に錘体として吊り下げた状態を示す図である。
【図７】網袋に鋼球を収容し、ロープ下端部にフックに吊り下げて錘体とした例の説明図である。
【図８】網体に自然石を収容し、ロープ下端部にフックに吊り下げて錘体とした例の説明図である。
【図９】吊下具を棒状体とし、金属製錘を吊下具に吊り下げた状態を示す図である。
【図１０】（ａ）〜（ｃ）は、図９の棒状吊下具が分解する過程を示す説明図である。
【図１１】錘体としてコンクリート塊を用いた例を示す説明図である。
【図１２】垂下養殖におけるロープの一部を生分解性プラスチックからなる吊り下げ部とし、錘体を吊り下げた例の説明図である。
【図１３】図１２の状態から吊り下げ部が分解して錘体がロープから外れる状態を説明する図である。
【図１４】図１２の変更実施例を示す図である。
【図１５】多段籠（丸籠）による垂下養殖の例を説明する図である。
【図１６】多段籠（丸籠）による垂下養殖装置の例を示す図である。
【図１７】多段籠（角籠）による垂下養殖装置の例を示す図である。
【発明を実施するための形態】
【００３８】
本発明の実施の形態を添付図に基づいて以下に説明する。なお、図面は符号の向きに見るものとする。
図１は、垂下養殖の一例として帆立貝の耳吊り養殖の養殖装置の概略を説明する図である。
養殖装置１は、海底９に打ち込んだ２本のアンカーロープ２，２と、アンカーロープ２，２の上端部間に結束して掛け渡された横ロープ３（幹綱）と、横ロープ３の長さ方向（横方向）に所定間隔で垂下（吊りさげ）された複数本の縦ロープ４…（…は複数を表す。以下同じ）とからなる。
２本のアンカーロープ２，２の各上端部には、連結紐５…を介して海面１０に上半部が露出する露出浮体６…を連結し、横ロープが長い場合には、中間部にも連結紐５を解して露出浮体６を連結する。
横ロープ３には、長さ方向（横方向）に所定間隔で海中に所定深さで保持される複数の浮体８…を連結紐７…を介して連結する。
【００３９】
養殖装置の縦ロープ４…は、前記した通り、例えば、径が６〜８mmで、長さが１０〜１５ｍである。
縦ロープ４には、長さ方向（上下方向）に所定ピッチ、例えば１００〜１３０mmピッチでロープの長さ方向に直交する方向に係止ピン１１…を上下方向に離間して横断するように貫通保持させる。
各係止ピン１１…の両端部の銛状係止部１１ａ，１１ａに、帆立貝の稚貝１２，１２の耳片１２ａ，１２ａを、穿孔した耳吊り孔を介して刺通、保持する。
【００４０】
このように、長さ方向（垂下されたロープの上下方向）に所定ピッチで多数の稚貝を係止、保持させた縦ロープ４…が複数本、横ロープ３に長さ方向（横方向）に所定ピッチで吊り下げ保持されている。
縦ロープ４…の下端部は、海底９に着底することなく、海底９から間隔を開けて浮遊している。
【００４１】
横ロープ３に上端部を連結し、多数の稚貝１２…を所定ピッチで上下に係止、保持し、海中に垂下された各縦ロープ４…の下端部４ａに、錘体２０を吊り下げる。
錘体２０は、縦ロープに吊り下げた状態では、海底９に着底しておらず、錘体２０と海底９との間には十分の間隔が開けられている。
【００４２】
図３は、生分解性プラスチック製の吊下具２１を袋とした例を示す。袋２１に砂を収容し、錘体とした例の説明図で、吊下具２１である袋に砂を収容する図であり、袋の素材は不織布としたものである。
図４は、袋２１に砂を収容後、袋２１を結束し錘体２０を形成し、ロープ下端部４ａに錘体として吊り下げた状態を示す図である。
錘体の吊下具２１として袋を用いたが、袋は上記した通り生分解性プラスチックの素材で形成する。
生分解性プラスチックの素材としては、例えば、前記した通り、微生物系、化学合成系、天然物系、これらの複合系等がある。
【００４３】
生分解性プラスチックとしては、微生物系としては「バイオポリエステル」、「バクテリアセルロース」等、化学合成系としては「脂肪族ポリエステル」、「ポリビニルアルコール（ＰＶＡ）」、「ポリアミノ酸」等、天然物系では「キサトン／セルロース」、「澱粉」等、複合系では上記のブレンドやラミネート等である。
実施例では、例えば、生分解性プラスチックの一例である水溶性プラスチック製、例えば、ポリビニルアルコール（ＰＶＡ）の不織布で吊下具である袋２１を形成した。
【００４４】
具体的な実施例では、袋を生分解性の水溶性プラスチック製のフィルム、或いはシートで形成する。
水溶性プラスチック製のフィルム、シートで袋を形成し、内部に錘を収容して錘体を形成するが、袋内への収容物は砂であれば、先ず、砂の量を調整することで錘体の重量の調節が容易であること、次ぎに、砂なので、フィルム状、シート状、特に薄いフイルム状の袋の場合には、生地を傷めることが無いので好ましい。
フィルム状の袋では、図３、図４で後述するような巾着状の構造ではなく、袋の口部をファスナー状等の閉じ構造としても良い。
【００４５】
図示した実施例では、閉じ構造は、袋２１の口部分２１ａには緊縛紐２２を掛け廻して緊縛する巾着のような袋構造とした。
図３では砂２３を投入し、袋２１内に収容する。砂２３は、例えば２００ｇ〜１ｋｇ程度とし、砂の収容量を増減、調節することで錘体２０の重量の調整は極めて容易に行うことができる。
上記した砂に代えて砂利でも良く、又砂と砂利の混合物でも良い。
【００４６】
袋２１への砂の収容後、巾着の要領で口部分２１ａを緊縛して閉め、閉じて長尺となった紐２２をロープ４の下端部４ａに設けた輪環部４ｂに結束して連結し、ロープ４の下端部に錘体２０を吊り下げる。
この状態を図４で示した。
袋２１に収容された砂２３がロープ４の錘となり、波浪や潮流等によるロープの振動を錘体２０で可及的に抑制することができ、帆立貝の摂餌活動を促し、帆立貝の成長を促進、実現させることができる。
【００４７】
以上の錘体２０は、袋体２１が生分解性の水溶性プラスチックの織布、不織布、シート或いはフィルムで形成されており、分解に至る期間、即ち、錘体の吊下具がロープから外れる期間を目的に応じて可変とすることが可能であり、養殖期間のニーズに合わせた吊下具を得ることが可能である。
具体的には、養殖期間のニーズにより、例えば３ヶ月で分解して錘体が脱落して欲しいのか、６ヶ月で分解して錘体が脱落して欲しいのか、１０ヶ月で分解して錘体が脱落して欲しいのか、或いは、１２ヶ月で分解して錘体が脱落して欲しいのか等の要望がある。
【００４８】
本発明では、例えば、繊維の太さや布地の厚さ等を加減することにより、分解期間をコントロールすることが可能である、
従って、貝類の種類やニーズに合わせて好ましい錘体の脱落期間を選択することが可能である。
【００４９】
尚、本実施例においては、吊下具２１は水溶性プラスチックのシートやフィルム等の不織布で形成した袋体とした。
従って、上述したように、袋体の布地の厚さを加減することにより、袋体の分解に要する時間を任意に設定することが可能である。
【００５０】
垂下養殖の後、所定期間経過後、例えば６ヶ月程度で稚貝は２〜３倍程度の大きさになるが、この時点で錘体の必要性は少なくなり、錘体を外してもロープ全体の重量が大きくなり、ロープ自身の重量が錘体の機能を果たし、これにより波浪や潮流の影響が少なくなる。
ところで、錘体２０を吊り下げる吊下具２１は、生分解性プラスチック、例えば、図示した実施例では、生分解性の水溶性プラスチック、例えば、ポリビニルアルコールの不織布（フィルム）による袋としたので、時間の経過、例えば６ヶ月程度で微生物（バクテリア、細菌）等によって水と二酸化炭素に分解する。
【００５１】
この結果、吊下具である袋２１は分解して崩壊し、収容されている錘を構成する砂は流出し、結果的に錘体は崩壊し、ロープ４の錘体としての機能を喪失することとなる。
袋２１の崩壊で砂は海中に排出（流出）することとなるが、砂は自然物なので環境に対する負荷は無い。
また、吊下具である袋２１は生分解性プラスチックなので、水と二酸化炭素等に分解し、従って、海中に残留したとしても環境に対する負荷とはならない。
【００５２】
以上のように吊下具２１は、海中において経時的に分解してもロープ４の下端部４ａに錘体として残留することが無く、ロープ下端部４ａは自由となる。
従って、帆立貝の垂下養殖において、例えば６ヶ月程度で実施される殻の雑物の除去、洗浄時、或いは水揚げ時にロープを巻き上げるに際し、ロープの終端部の錘体は取り外され、除去されている状態なので、洗浄機や巻き揚げ機、耳切部によるしごき落とし（収穫作業）に影響することが無い。
【００５３】
以上のように錘体は、吊下具が経時的に自然に分解してロープから脱落するので、垂下養殖において錘体を用いた場合における貝殻の雑物除去のための洗浄作業時や水揚げ作業時に、ロープから錘体を取り外す作業が全く不要となる。
従って、錘体を用いて垂下養殖を実施し、生育の良好な、太った帆立貝の収穫を実現しつつ、貝殻に付着した雑物の除去、洗浄作業や水揚げ時の収穫作業の容易化、迅速化を図ることができるものである。
【００５４】
図５は、生分解性プラスチック製の吊下具として網袋３１を用いたものである。網袋３１内に自然石、小石を収容し、錘体３０とした説明図であり、網袋３１に自然石、小石を収容する図である。
又図６は、網袋３１に自然石、小石を収容した後、図４と同様に網袋３１の緊縛紐３２を緊縛して口を閉じ、結束して錘体３０を形成し、ロープ４の下端部４ａに緊縛紐３２を連結して錘体３０として吊り下げた状態を示す図である。
【００５５】
吊下具３１として本実施例では網製の袋体を用い、網目のメッシュ（目の大きさ）は実施例では小石をも用いた例なので、小さめとした。
吊下具である網袋３１の口部分３１ａには緊縛紐３２を掛け廻し、巾着のような袋構造としたことは前記した実施例と同様である。
図５では、大きめの自然石３３と複数の小石３４…とを網袋３１に投入した例である。  ところで、自然石３３は重量が不揃いであり、必要とする重量に足りない場合もある。そこで、小石３４…を混ぜ、必要とする重量に調節する。
従って、錘体３０の重量の調整は容易である。
【００５６】
網袋３１への自然石３３、小石３４…の収容後、巾着の要領で口部分３１ａを閉め、閉じて長尺となった緊縛紐３２をロープ４の下端部４ａに設けた輪環部４ｂに結束して連結し、ロープ４の下端部に錘体３０を吊り下げる。
この状態を図６で示した。
本実施例においては、吊下具３１を網袋としたので、網袋を編成する糸の太さを適宜選択する等して加減することにより、網袋体の分解に要する時間（期間）を任意に設定することが可能である。
【００５７】
図７、図８は、生分解性プラスチック製の吊下具として網袋を用いた例である。
ロープ下端部に連結したフックに網体を介して鋼球を収容し、ロープ下端部にフックを介して吊り下げて錘体とした例の説明図であり（図７）、又網体に自然石を収容し、ロープ下端部にフックを介して吊り下げて錘体とした例の説明図（図８）である。
【００５８】
図７では、生分解プラスチック製の網袋４１内に鋼球４３を収容し、網袋４１の口部を図示しないロープ下端部に連結したフック４２に引っ掛けて吊り下げ、保持し、錘体４０を形成したものである。
鋼球４３は、網袋４１が経時的に分解した後、海中から回収する必要がある。このため回収ロープ４４を鋼球４３に繋げ、鋼球からなる錘体４０がロープから脱落後、回収するものである。
【００５９】
図８では、生分解プラスチック製の網袋４１内に自然石４５を収容し、網袋４１の口部を図示しないロープ下端部に連結したフック４２に引っ掛けて吊り下げ、保持し、錘体４０を形成したものである。
網袋４１内に収容した自然石４５は、網袋４１が経時的に分解した後、海中に排出されるが、自然石なので、海底に放置しても環境に影響を及ぼすことは無い。
【００６０】
図９は、生分解性プラスチック製の吊下具を棒状体とした実施例を示す。
吊下具は、上記した生分解性プラスチックで形成されており、吊下具５１は棒状体で構成される。
吊下具５１は円柱状で長さを有し、長さ方向の中間部に狭窄部５２が形成されており、長さ方向が縦方向をなすように用いられる。
【００６１】
吊下具５１の上端部にはロープ４の下端部４ａの輪環部４ｂに係止するフック５３を埋装し、下端部にはフック５４を埋装し、台形、或いは円錐台形状の金属製錘５５の上面に設けられたフック５６を吊下具５１下方に延ばされたフック５４に係止し、錘体５０を構成する。
金属製錘５５の一部の側面には回収用ロープ５８の係止環５７を備える。
【００６２】
図１０の（ａ）〜（ｃ）は、上記した生分解プラスチック製の棒状吊下具５１が分解する過程を示す説明図である。
棒状吊下具５１は、上述したように時間の経過とともに海中で分解してゆくが、棒状吊下具５１は、中間部に狭窄部５２が形成されているので、図１０の（ａ）の状態から分解は（ｂ）のように狭窄部５２の部分の進行は早く、終いには（ｃ）で示した通り狭窄部５２の部分が５２ａ，５２ｂのように破断され、金属製錘５５はロープ４下端部４ａから切り離されて脱落することとなる。
このように、棒状吊下具の中間部に狭窄部５２を設けることでヒューズのように作用し、狭窄部５２の長さや外径を設定することで、吊下具の分解による錘体の脱落時間（期間）を任意に設定することが可能である。
錘は金属製なので、事後、回収用ロープ５８で回収する。
【００６３】
図１１は、錘体としてコンクリート塊を用いた例を示す説明図であり、コンクリート塊で錘６１を形成し、錘６１にフック６６を埋装し、前記した吊下具５１の下方に垂下したフック５４に係止したものである。コンクリート塊により錘体６０を構成したもので、他の構成は、図９の実施例と同様である。
本実施例では、錘体６０がコンクリート塊なので、海中に放置しておいても環境の負荷になることは無い。
【００６４】
図１２は、垂下養殖におけるロープの一部を生分解性プラスチックからなる吊り下げ部とし、錘体を吊り下げた例の説明図である。
本実施例では、垂下養殖における係止ピンで稚貝を吊り下げ、保持する前記した縦ロープの下端部の一部に生分解性プラスチックからなるロープ状の吊下具（吊下部）７１を形成したものである。
本実施例では、ロープ４の下端部４ａに形成した輪環部４ｂの一部を生分解性プラスチックからなる吊り下げ部として吊下具７１を構成したものである。
【００６５】
吊下具７１は、ロープ４の下端部に輪環部４ｂを形成する際、輪環部４ｂの一部を生分解性プラスチックの糸を編み込んで形成し、特に、輪環部４ｂの下半部４ｃのＵ字状部分を生分解性プラスチックで編成された撚糸で構成し、Ｕ字状の吊下具（吊下部）７１を形成する。
実施例では、ロープ４の輪環部４ｂの輪環内にシンブルと称される金属リング７４を抱持させ、金属リング７４に金属製の錘７２の上面に突設したフック７３を係止し、吊下具７１で金属製の錘体７０を保持したものである。
【００６６】
図１３は、図１２の状態から吊下具が分解し、錘体がロープから外れる状態を説明する図である。
上記した通り、ロープ４の下端部４ａの輪環部４ｂの下半部４ｃに設けた生分解性プラスチック製の吊下具７１（吊下部）は時間の経過で分解し、輪環部４ｂの下半部４ｃが崩壊、破断する。
これにより、金属製の錘７２で形成される錘体７０は、フック７３、金属リング７４がロープ下端部から外れ、脱落する。この状態を図１３で示した。
錘体７０はロープ７５で回収する。
【００６７】
図１４は、図１２の実施例の変更実施例を示す図である。
本実施例は、ロープ４の下部４ｄと下端部４ａとの間に、ロープの一部を構成するように生分解性プラスチックからなる継ぎ部分８１を設けたものである。
この継ぎ部分８１で、水中で時間の経過とともに分解する生分解性プラスチック製の吊下具を構成する。
実施例ではロープの一部をなすように一体的に生分解性プラスチックからなる継ぎ部分８１を設けたが、継ぎ部分８１をロープ４とは別体とし、ロープ４の下部４ｄと錘体を吊り下げる下端部４ａとの間を連結するように構成しても良い。
【００６８】
本実施例においては、他の構成は図１２の実施例と同様なので、同一部分には同一符号を付して説明は省略した。
ロープ４の下部の継ぎ部分８１は、上記と同様に所定時間経過後に分解し、継ぎ部分８１から下の部分が、錘体７０、金属リング７４とともに脱落する。
これにより、ロープ４は錘体７０から開放される。
【００６９】
以上では、海中に垂下されたロープに係止ピンを介して帆立貝を耳吊り養殖する実施例を説明したが、その他の垂下養殖に本発明を実施することができる。
図１５〜図１７は、多段籠による貝類の垂下養殖を示し、図１５は、丸籠による多段籠垂下養殖の例を説明する図であり、図１６は、同垂下養殖装置の例を示す図である。
受け面９１、周枠９２を網状籠体で形成した丸籠９３を上下に多段に積層して連結して多段籠９４を構成する。多段籠９４は、外周の適所を複数本の吊り下げロープ９５…により保持されており、吊り下げロープ９５…の上端部は絞られて結束され、図１６に示すように横ロープ３に吊り具９６等で連結して吊り下げ、複数個の多段籠体９４は海中に垂下される。
【００７０】
横ロープ３は、図１と同様に複数箇所が浮体８…に連結紐７…を介して支持され、また、横ロープ３の適所を露出浮体６…に連結紐５を介して支持し、所定深度に横ロープ３を保持するものである。
以上の多段籠体９４の最下位の下方に、吊り下げロープ９５の下部９５ａを延ばし、下端部９５ｂに前記した生分解性プラスチックで形成した吊下具９７を介して錘体９０を吊り下げ保持する。
吊下具９７は、例えば上記したようにポリビニルアルコール（ＰＶＣ）の不織布で形成した袋体とし、これに砂や砂利等を収容して錘体９０を形成し、これに代え、吊下具や錘体は任意である。
【００７１】
多段籠体９４の各籠９３には帆立貝等の稚貝が載せられて収容され、海中で養殖され、生育するものであるが、錘体９０の作用で、ロープ９５、丸籠９３の波浪、潮流等による振動は可及的に抑制され、振動に起因する貝相互間の接触等は可及的に防止され、摂餌が進行し、貝類の良好な生育を得ることができる。
所定期間経過後に吊下具９７は分解し、錘体は脱落し、多段籠は錘体から開放される。
【００７２】
図１７は、角籠による多段籠養殖の例を示す図である。
本実施例は、籠を角皿状の角籠とし、角籠１９３…を多段積層して多段籠体１９４を形成し、各角籠１９３…に前記と同様に稚貝を収容し、養殖する。
多段籠体１９４の吊り下げロープ１９５の下端部に前記と同様に生分解性プラスチックで形成した吊下具９７を介して錘体９０を吊り下げ保持した。
【００７３】
以上実施例では帆立貝の垂下養殖の例を説明したが、岩牡蠣の耳吊り養殖、ホヤ貝の垂下養殖等、各種貝類の垂下養殖に適用することができる。
【産業上の利用可能性】
【００７４】
本発明は、各種の貝類の垂下式養殖に利用することができる。
【符号の説明】
【００７５】
１…垂下養殖装置、  ４…ロープ、  １２…帆立貝の稚貝、  ２０，３０，４０，５０，６０，７０，９０…錘体、  ２１，３１，４１，５１，７１，８１，９７…生分解性プラスチック製の吊下具、  ２３…砂、  ３３，４５…自然石、  ４３，５５，７２…金属製錘。
【図１】
2015122989.tif 000003
【図２】
2015122989.tif 000004
【図３】
2015122989.tif 000005
【図４】
2015122989.tif 000006
【図５】
2015122989.tif 000007
【図６】
2015122989.tif 000008
【図７】
2015122989.tif 000009
【図８】
2015122989.tif 000010
【図９】
2015122989.tif 000011
【図１０】
2015122989.tif 000012
【図１１】
2015122989.tif 000013
【図１２】
2015122989.tif 000014
【図１３】
2015122989.tif 000015
【図１４】
2015122989.tif 000016
【図１５】
2015122989.tif 000017
【図１６】
2015122989.tif 000018
【図１７】
2015122989.tif 000019